(57)【要約】【課題】ケーブルを確実かつ容易に敷設でき、外部から見えないように、安全かつ容易に目隠しできるようにする。【解決手段】開閉可能な筐体の内部底面にケーブルを納める程度の所定長のケーブル配設用溝部２０を設け、ケーブル配設用溝部２０にケーブル２１を通した後、シート状又はフィルム状の目隠し材２２によって、ケーブル２１を覆って、目隠しする。目隠し材２２は、ケーブル配設用溝部２０に通されたケーブル２１をその上方から目隠しするための平面部２２ａと、この平面部２２ａの縁端部のうち、ケーブル配設用溝部２０内に配置される縁端部にて屈曲連設されて、L字曲げとされ、ケーブル２１の動きを拘束し、このケーブル２１の離脱露出を防止するための側壁部２２ｂとからなっている。【選択図】図６
2008199230.tif 000002
【特許請求の範囲】
【請求項１】
電子機器の筐体の内部底面に配設されたケーブルを目隠しするためのケーブル目隠し構造であって、
前記筐体の内部底面に所定長の段差部が設けられ、該段差部の下段に前記ケーブルが通され、かつ、該ケーブルにはシート状又はフィルム状の目隠し材が被せられ、該目隠し材は、前記段差部の上段に固定されていることを特徴とするケーブル目隠し構造。
【請求項２】
前記目隠し材は、前記段差部の前記下段に通された前記ケーブルをその上方から目隠しするための平面部と、前記ケーブルの動きを拘束し、該ケーブルの離脱露出を防止するための側壁部とからなることを特徴とする請求項１記載のケーブル目隠し構造。
【請求項３】
前記目隠し材は、前記段差部の前記下段に通された前記ケーブルをその上方から目隠しするための平面部と、該平面部の縁端部のうち、前記段差部内に配置される縁端部にて屈曲又は湾曲連設されて、前記ケーブルの動きを拘束し、該ケーブルの離脱露出を防止するための側壁部とからなることを特徴とする請求項１記載のケーブル目隠し構造。
【請求項４】
前記目隠し材は、前記段差部の上段に接着又は粘着されて固定されていることを特徴とする請求項１記載のケーブル目隠し構造。
【請求項５】
前記筐体には、エンドユーザが、開閉できる開閉蓋が設けられていて、該開閉蓋が開けられても、前記段差部の下段に通された前記ケーブルは、前記目隠し材を被せられていて、外部から見えない構成になされていることを特徴とする請求項１記載のケーブル目隠し構造。
【請求項６】
前記筐体には、電池パックを収納するバッテリ収納部と、エンドユーザが、前記電池パックを交換するための開閉蓋とが設けられていて、該開閉蓋が開けられても、前記段差部の前記下段に通された前記ケーブルは、前記目隠し材を被せられていて、外部から見えない構成になされていることを特徴とする請求項１記載のケーブル目隠し構造。
【請求項７】
前記段差部は、前記バッテリ収納部の底面に設けられていて、前記バッテリ収納部から前記電池パックが取り出され、前記バッテリ収納部の前記底面が露顕しても、前記段差部の下段に通された前記ケーブルは、前記目隠し材によって、秘匿される構成になされていることを特徴とする請求項６記載のケーブル目隠し構造。
【請求項８】
前記段差部は、前記筐体の一の側壁に沿う態様で、内側縁部に設けられていることを特徴とする請求項１記載のケーブル目隠し構造。
【請求項９】
電子機器の筐体の内部に配設されたケーブルを目隠しするためのケーブル目隠し構造であって、
前記筐体の内部底面に所定長の溝部が設けられ、該溝部に前記ケーブルが通され、該ケーブルにはシート状又はフィルム状の目隠し材が被せられ、該目隠し材は、前記溝部の外縁に固定されていることを特徴とするケーブル目隠し構造。
【請求項１０】
前記目隠し材は、前記溝部に通された前記ケーブルをその上方から目隠しするための平面部と、前記ケーブルの動きを拘束し、該ケーブルの離脱露出を防止するための側壁部とからなることを特徴とする請求項９記載のケーブル目隠し構造。
【請求項１１】
前記目隠し材は、前記溝部に通された前記ケーブルをその上方から目隠しするための平面部と、該平面部の縁端部のうち、前記溝部内に配置される縁端部にて屈曲又は湾曲連設されて、前記ケーブルの動きを拘束し、該ケーブルの離脱露出を防止するための側壁部とからなることを特徴とする請求項９記載のケーブル目隠し構造。
【請求項１２】
前記目隠し材は、前記溝部の外縁に接着又は粘着されて固定されていることを特徴とする請求項９記載のケーブル目隠し構造。
【請求項１３】
前記筐体には、エンドユーザが、開閉できる開閉蓋が設けられていて、該開閉蓋が開けられても、前記溝部に通された前記ケーブルは、前記目隠し材を被せられていて、外部から見えない構成になされていることを特徴とする請求項９記載のケーブル目隠し構造。
【請求項１４】
前記筐体には、電池パックを収納するバッテリ収納部と、エンドユーザが、前記電池パックを交換するための開閉蓋とが設けられていて、該開閉蓋が開けられても、前記溝部に通された前記ケーブルは、前記目隠し材を被せられていて、外部から見えない構成になされていることを特徴とする請求項９記載のケーブル目隠し構造。
【請求項１５】
前記段差部は、前記バッテリ収納部の底面に設けられていて、前記バッテリ収納部から前記電池パックが取り出され、前記バッテリ収納部の前記底面が露顕しても、前記溝部に通された前記ケーブルは、前記目隠し材によって、秘匿される構成になされていることを特徴とする請求項１４記載のケーブル目隠し構造。
【請求項１６】
前記溝部は、前記筐体の一の側壁に沿う態様で、内側縁部に設けられていることを特徴とする請求項９記載のケーブル目隠し構造。
【請求項１７】
請求項１乃至１６の何れか１に記載のケーブル目隠し構造を備えてなることを特徴とする電子機器。
【請求項１８】
電子機器の筐体の内部に配設されるケーブルを目隠しするためのケーブル目隠し方法であって、
前記筐体の内部底面に所定長の段差部を設け、該段差部の下段に前記ケーブルを通した後、該ケーブルの上にシート状又はフィルム状の目隠し材を被せ、この状態で、該目隠し材を、前記段差部の上段に接着剤又は粘着剤を用いて固定することを特徴とするケーブル目隠し方法。
【請求項１９】
前記目隠し材は、前記段差部の前記下段に通された前記ケーブルをその上方から目隠しするための平面部と、前記ケーブルの動きを拘束し、該ケーブルの離脱露出を防止するための側壁部とからなることを特徴とする請求項１８記載のケーブル目隠し方法。
【請求項２０】
前記段差部を、前記筐体の一の側壁に沿う態様で、内側縁部に設けることを特徴とする請求項１８記載のケーブル目隠し方法。
【請求項２１】
電子機器の筐体の内部に配設されるケーブルを目隠しするためのケーブル目隠し方法であって、
前記筐体の内部底面に所定長の溝部を設け、該溝部に前記ケーブルを通した後、該ケーブルの上にシート状又はフィルム状の目隠し材を被せ、この状態で、該目隠し材を、前記溝部の外縁に接着剤又は粘着剤を用いて固定することを特徴とするケーブル目隠し方法。
【請求項２２】
前記目隠し材は、前記溝部に通された前記ケーブルをその上方から目隠しするための平面部と、前記ケーブルの動きを拘束し、該ケーブルの離脱露出を防止するための側壁部とからなることを特徴とする請求項２１記載のケーブル目隠し方法。
【請求項２３】
前記段差部を、前記筐体の一の側壁に沿う態様で、内側縁部に設けることを特徴とする請求項２１記載のケーブル目隠し方法。
【発明の詳細な説明】
【技術分野】
【０００１】
この発明は、ケーブル目隠し方法及び目隠し構造並びに該構造を備える電子機器に関し、とくに、薄型の電子機器の開閉可能な筐体に適用して好適である。
【背景技術】
【０００２】
電子機器の実装技術において、互いに離れた場所に実装される２つの基板（又は電子部品）間の接続には、各種のケーブルが用いられる（例えば、特許文献１参照）。このとき、もしも、実装されたケーブルがぶらぶらしていると、他の部品と干渉して実装不具合が発生する虞があるので、従来では、基板上に実装された固定金具等を用いて、あるいは、筐体に係止リブを設けて、ケーブルを仮留めすることで、他の実装部品との干渉を防止する工夫がなされていた。
【特許文献１】特開２００２−２８７６５３号公報（段落０００５）
【発明の開示】
【発明が解決しようとする課題】
【０００３】
ところで、携帯電話機等の筐体内で、例えば、無線部品や制御部品等が実装されるメイン基板と外部カードコネクタ等が実装されるサブ基板とが、電池パック収納部を間に挟んで、互いに遠く離れて実装され、これら2つの基板同士がケーブルで接続される構成では、次のような不具合が発生する虞があった。
すなわち、電池パック収納部の箇所は、エンドユーザが、自由に、筐体内部を見たり触ったりできる箇所である。それゆえ、もしも、エンドユーザが、電池パック収納部の傍を這うケーブルを故意に引き出そうとすると、あくまでも仮留めされただけのケーブルは、容易に引き抜かれることになる。そうすると、機器の安全性が阻害されたり、電気特性が劣化あるいは変動したり、ひどい場合には、機器の破壊を招いたりする虞がある。
【０００４】
この発明は、上述の事情に鑑みてなされたもので、他の部品と干渉することなく、ケーブルを確実かつ容易に敷設でき、かつ、外部から安全かつ容易に目隠しできる、特に、薄型の電子機器に適用して好適なケーブル目隠し方法及び目隠し構造並びに該構造を備える電子機器を提供することを目的としている。
【課題を解決するための手段】
【０００５】
上記課題を解決するために、請求項１記載の発明は、電子機器の筐体の内部底面に配設されたケーブルを目隠しするためのケーブル目隠し構造に係り、前記筐体の内部底面に所定長の段差部が設けられ、該段差部の下段に前記ケーブルが通され、かつ、該ケーブルにはシート状又はフィルム状の目隠し材が被せられ、該目隠し材は、前記段差部の上段に固定されていることを特徴としている。
【０００６】
請求項２記載の発明は、請求項１記載のケーブル目隠し構造に係り、前記目隠し材が、前記段差部の前記下段に通された前記ケーブルをその上方から目隠しするための平面部と、前記ケーブルの動きを拘束し、該ケーブルの離脱露出を防止するための側壁部とからなることを特徴としている。
【０００７】
請求項３記載の発明は、前記目隠し材が、前記段差部の前記下段に通された前記ケーブルをその上方から目隠しするための平面部と、該平面部の縁端部のうち、前記段差部内に配置される縁端部にて屈曲又は湾曲連設されて、前記ケーブルの動きを拘束し、該ケーブルの離脱露出を防止するための側壁部とからなることを特徴としている。
【０００８】
また、請求項４記載の発明は、請求項１記載のケーブル目隠し構造に係り、前記目隠し材が、前記段差部の上段に接着又は粘着されて固定されていることを特徴としている。
【０００９】
また、請求項５記載の発明は、請求項１記載のケーブル目隠し構造に係り、前記筐体には、エンドユーザが、開閉できる開閉蓋が設けられていて、該開閉蓋が開けられても、前記段差部の下段に通された前記ケーブルは、前記目隠し材を被せられていて、外部から見えない構成になされていることを特徴としている。
【００１０】
請求項６記載の発明は、請求項１記載のケーブル目隠し構造に係り、前記筐体には、電池パックを収納するバッテリ収納部と、エンドユーザが、前記電池パックを交換するための開閉蓋とが設けられていて、該開閉蓋が開けられても、前記段差部の前記下段に通された前記ケーブルは、前記目隠し材を被せられていて、外部から見えない構成になされていることを特徴としている。
【００１１】
また、請求項７記載の発明は、請求項６記載のケーブル目隠し構造に係り、前記段差部が、前記バッテリ収納部の底面に設けられていて、前記バッテリ収納部から前記電池パックが取り出され、前記バッテリ収納部の前記底面が露顕しても、前記段差部の下段に通された前記ケーブルは、前記目隠し材によって、秘匿される構成になされていることを特徴としている。
【００１２】
請求項８記載の発明は、請求項１記載のケーブル目隠し構造に係り、前記段差部が、前記筐体の一の側壁に沿う態様で、内側縁部に設けられていることを特徴としている。
【００１３】
また、請求項９記載の発明は、電子機器の筐体の内部に配設されたケーブルを目隠しするためのケーブル目隠し構造に係り、前記筐体の内部底面に所定長の溝部が設けられ、該溝部に前記ケーブルが通され、該ケーブルにはシート状又はフィルム状の目隠し材が被せられ、該目隠し材は、前記溝部の外縁に固定されていることを特徴としている。
【００１４】
また、請求項１０記載の発明は、請求項９記載のケーブル目隠し構造に係り、前記目隠し材が、前記溝部に通された前記ケーブルをその上方から目隠しするための平面部と、前記ケーブルの動きを拘束し、該ケーブルの離脱露出を防止するための側壁部とからなることを特徴としている。
【００１５】
また、請求項１１記載の発明は、請求項９記載のケーブル目隠し構造に係り、前記目隠し材が、前記溝部に通された前記ケーブルをその上方から目隠しするための平面部と、該平面部の縁端部のうち、前記溝部内に配置される縁端部にて屈曲又は湾曲連設されて、前記ケーブルの動きを拘束し、該ケーブルの離脱露出を防止するための側壁部とからなることを特徴としている。
【００１６】
請求項１２記載の発明は、請求項９記載のケーブル目隠し構造に係り、前記目隠し材が、前記溝部の外縁に接着又は粘着されて固定されていることを特徴としている。
【００１７】
請求項１３記載の発明は、請求項９記載のケーブル目隠し構造に係り、前記筐体には、エンドユーザが、開閉できる開閉蓋が設けられていて、該開閉蓋が開けられても、前記溝部に通された前記ケーブルは、前記目隠し材を被せられていて、外部から見えない構成になされていることを特徴としている。
【００１８】
また、請求項１４記載の発明は、請求項９記載のケーブル目隠し構造に係り、前記筐体には、電池パックを収納するバッテリ収納部と、エンドユーザが、前記電池パックを交換するための開閉蓋とが設けられていて、該開閉蓋が開けられても、前記溝部に通された前記ケーブルは、前記目隠し材を被せられていて、外部から見えない構成になされていることを特徴としている。
【００１９】
また、請求項１５記載の発明は、請求項１４記載のケーブル目隠し構造に係り、前記段差部が、前記バッテリ収納部の底面に設けられていて、前記バッテリ収納部から前記電池パックが取り出され、前記バッテリ収納部の前記底面が露顕しても、前記溝部に通された前記ケーブルは、前記目隠し材によって、秘匿される構成になされていることを特徴としている。
【００２０】
請求項１６記載の発明は、請求項９記載のケーブル目隠し構造に係り、前記溝部が、前記筐体の一の側壁に沿う態様で、内側縁部に設けられていることを特徴としている。
【００２１】
請求項１７記載の発明は、電子機器に係り、請求項１乃至１６の何れか１に記載のケーブル目隠し構造を備えてなることを特徴としている。
【００２２】
また、請求項１８記載の発明は、電子機器の筐体の内部に配設されるケーブルを目隠しするためのケーブル目隠し方法に係り、前記筐体の内部底面に所定長の段差部を設け、該段差部の下段に前記ケーブルを通した後、該ケーブルの上にシート状又はフィルム状の目隠し材を被せ、この状態で、該目隠し材を、前記段差部の上段に接着剤又は粘着剤を用いて固定することを特徴としている。
【００２３】
また、請求項１９記載の発明は、請求項１８記載のケーブル目隠し方法に係り、前記目隠し材が、前記段差部の前記下段に通された前記ケーブルをその上方から目隠しするための平面部と、前記ケーブルの動きを拘束し、該ケーブルの離脱露出を防止するための側壁部とからなることを特徴としている。
【００２４】
また、請求項２０記載の発明は、請求項１８記載のケーブル目隠し方法に係り、前記段差部を、前記筐体の一の側壁に沿う態様で、内側縁部に設けることを特徴としている。
【００２５】
また、請求項２１記載の発明は、電子機器の筐体の内部に配設されるケーブルを目隠しするためのケーブル目隠し方法に係り、前記筐体の内部底面に所定長の溝部を設け、該溝部に前記ケーブルを通した後、該ケーブルの上にシート状又はフィルム状の目隠し材を被せ、この状態で、該目隠し材を、前記溝部の外縁に接着剤又は粘着剤を用いて固定することを特徴としている。
【００２６】
また、請求項２２記載の発明は、請求項１８記載のケーブル目隠し方法に係り、前記目隠し材が、前記溝部に通された前記ケーブルをその上方から目隠しするための平面部と、前記ケーブルの動きを拘束し、該ケーブルの離脱露出を防止するための側壁部とからなることを特徴としている。
【００２７】
また、請求項２３記載の発明は、請求項２１記載のケーブル目隠し方法に係り、前記段差部を、前記筐体の一の側壁に沿う態様で、内側縁部に設けることを特徴としている。
【発明の効果】
【００２８】
この例の構成によれば、筐体の内部底面に所定長の段差部又は溝部が設けられ、該段差部又は溝部の下段にケーブルが通され、該ケーブルにはシート状又はフィルム状の目隠し材が被せられているので、エンドユーザからケーブルを隠匿できる。該目隠し材は、前記段差部の上段に（両面）粘着材又は接着剤等を用いて、確実容易に固定できる。ここで、筐体底面を構成する素材との密着性（親和性）の良い粘着材又は接着剤を用いるようにすれば、容易には剥離できないので、ケーブルが故意に引き抜かれる虞はない。それゆえ、機器の安全性は保たれ、電気特性の劣化や変動を防止でき、機器破壊も免れる。
また、シート状又はフィルム状の目隠し材は、肉厚が薄いので、薄型の電子機器に適用して好適である。
【００２９】
また、目隠し材は、断面Ｌ字曲げとするのが好ましい。断面Ｌ字曲げの構成によれば、平面部に側壁部が加わるので、側壁部の剛性によって、ケーブルのが目隠し材の外への動きが押さえられ、この結果、ケーブルが、目隠し材の下部に安定的に納まることとなる。それゆえ、ケーブルを確実に隠匿できる。加えて、側壁部は、位置決めとしても機能するので、目隠し材を一段と確実かつ容易に取着することができる。
【発明を実施するための最良の形態】
【００３０】
エンドユーザによって開閉可能な筐体の内部底面（例えば、電池パック収納部の内部底面）にケーブルを納める程度の所定長の段差部又は溝部を設け、該段差部の下段又は溝部に前記ケーブルを通した後、シート状又はフィルム状の目隠し材によって、ケーブルを覆って、目隠しする。目隠し材は、段差部の上段又は溝部の外縁にのみ、筐体底面との密着性の良い接着剤又は粘着材（好適には、両面粘着テープ）を用いて固定し、ケーブルには接着剤又は粘着材が付かないようにするのが好ましい。何故なら、ケーブルが目隠し材に貼り付けば、目隠し材にケーブルが付きまとい、位置決めや作業性に支障をきたすからである。シート状又はフィルム状の目隠し材であれば、肉厚が薄いので、内部底面との異質感、異材感がなく、その下のケーブルに気付かれる虞はなく、たとえ、シート状又はフィルム状の目隠し材を故意に引き剥がそうとされても、目隠し材は、筐体の内部底面との密着性の良い接着剤又は粘着材を用いて、筐体の内部底面に貼着されているので、簡単には、目隠し材を剥ぐことはできない。それゆえ、ケーブルを故意に引き抜かれる虞はない。
【実施例１】
【００３１】
図１は、この発明の第１実施例に係る折畳式携帯電話機の表側外観構成を示す斜視図、図２は、同携帯電話機の裏側外観構成を示す斜視図、また、図３は、同携帯電話機の裏側外観構成を一部分解して示す分解斜視図である。また、図４は、この発明の第１実施例に係る同携帯電話機の下部筐体を構成するケースの構成を示す斜視図、図５は、同下部筐体（ケース）内のケーブル配設状態を示す平面図、また、図６は、この発明の第１実施例であるケーブル目隠し構造を分解して示す概略構成図で、同携帯電話機に組み込まれるケーブル目隠し構造を示す分解斜視図、図７は、同携帯電話機の下部筐体の外観構成を示す平面図、図８は、図７のＡ−Ａ線に沿う同ケーブル目隠し構造を示す断面図、図９は、同ケーブル目隠し構造に用いられるシート状又はフィルム状の目隠し材の構成を示す斜視図、また、図１０は、同目隠し材の構成を示す図で、同図（ａ）は平面図、同図（ｂ）は側面図、同図（ｃ）は端面図である。
【００３２】
まず、図１乃至図５を参照して、この例のケーブル目隠し構造が適用される折畳式の携帯電話機１の概略構成について説明する。
この携帯電話機１は、図１乃至図３に示すように、上部筐体２と下部筐体３とがヒンジ部４を介して折畳み自在に結合されて構成されている。上記上部筐体２には、表示パネル５や図示せぬスピーカ等が搭載されていて、また、上記下部筐体３には、キー操作部６、カメラ７、電池パック８、図示せぬ制御部、無線部、及びマイクロホン等が搭載されている。また、下部筐体３は、上述の各部、各部品を搭載装着するためのケース９と、カメラ７が装着されたケースカバー１０と、電池パック８交換用の開閉蓋１１とから構成されている。上記ケース９は、例えばＡＢＳ樹脂等の合成樹脂フレームと金属板とから構成されている。
【００３３】
ケース９の上半部には、図５に示すように、ＣＰＵ（中央処理装置）１２ａやメモリ１２ｂ等からなる制御部が搭載されたメイン回路基板（マザーボード）１２が収納され、同図中（下端部を除く）概略下半部には、電池パック８を収納する電池パック収納部１３が設けられている。また、同図中下端部には、サブ回路基板１４が実装されている。このサブ回路基板１４は、ＳＩＭ（Subscriber Identity Module）カードコネクタ等の外部接続コネクタ１５、スタッキングコネクタ１６、及び図示せぬシリコンマイク等を実装した状態で、ケース９の下端部に設けられた高さの低い隔壁１７（図４）で画成された短冊状の基板収納部１８（図４）に位置決めされて収納されている。上記スタッキングコネクタ１６は、ケース９の裏面に貼着された図示せぬキーフレキシブル基板と、メイン回路基板１２との間を接続する役割を担っている。なお、この例の構成では、開閉蓋１１を開けても、サブ回路基板１４の配線構造が、外部から見えなくするために、図３に示すように、サブ回路基板１４は、補強板金の天板部１９によって被覆され、この天板部１９は、ケース９にネジ締めされている。
【００３４】
次に、図４乃至図１０を参照して、この例のケーブル目隠し構造について説明する。
基板収納部１８から電池パック収納部１３に亘る部位に相当する、ケース９の内側縁部９ａに隣接して沿う底面には、図４に示すように、ケーブル配設用溝部２０が設けられている。このケーブル配設用溝部２０は、図８に示すように、電池パック収納部１３の底面１３ａよりも、細径のケーブル２１を収納できる程度の浅い段差に凹設されている。かくして、ケース９の上半部に配設されたメイン回路基板１２と、このメイン回路基板１２から遠く離れた部位（ケース９の下端部）に配設されたサブ回路基板１４とは、ケーブル配設用溝部２０に配設された上記ケーブル２１によって電気的に接続され、相互の間で各種信号の授受を行うことができる構成となっている。
【００３５】
ケーブル２１が配設されたケーブル配設用溝部２０には、図３及び図６に示すように、シート状又はフィルム状の目隠し材２２が被せられていて、図７に示す開閉蓋１１が開けられても、外部から、ケーブル２１を見ることも、ケーブル２１に気付くこともできないようになっている。
【００３６】
この例の目隠し材２２は、図９及び図１０に示すように、ケーブル配設用溝部２０に通されたケーブル２１をその上方から目隠しするための平面部２２ａと、この平面部２２ａの縁端部のうち、ケーブル配設用溝部２０内に配置される縁端部にて屈曲連設又は湾曲連設されて、L字曲げとされ、ケーブル２１の動きを拘束し、このケーブル２１の離脱露出を防止するための側壁部２２ｂとからなっている。目隠し材２２の平面部２２ａ裏面には、粘着性の良い両面粘着テープ２３が貼付されている。両面粘着テープ２３は、ケーブル配設用溝部２０の外縁との粘着に留め、ケーブル配設用溝部２０内にはみ出さないように、平面部２２ａ裏面に貼付することが好ましい。何故なら、ケーブルが目隠し材に貼り付けば、目隠し材にケーブルが付きまとい、位置決めや作業性に支障をきたすからである。
【００３７】
目隠し材２２の好適な材質としては、例えば、ＰＥＴ（polyethylene terephthalate）フィルム又はＰＥＴシート等を挙げることができるが、これに限定するものではなく、必要に応じて、他の樹脂シートでも良く又は紙類等でも良い。
【００３８】
この例の構成によれば、目隠し材として、肉厚が薄い目隠し材を用いるようにしたので、ケース９の内部底面の材質との異質感、異材感がなく、その下のケーブルに気付かれる虞はなく、たとえ、シート状又はフィルム状の目隠し材を故意に引き剥がそうとされても、目隠し材２２は、ケース９の内部底面の材質との密着性の良い両面粘着テープを用いて、ケース９の内部底面に貼着されているので、簡単には、目隠し材２２を剥ぐことはできない。それゆえ、ケーブルを故意に引き抜かれる虞はない。
【実施例２】
【００３９】
上述の第１実施例では、ケース９の内側縁部９ａに隣接して沿う底面にケーブル配設用溝部を設けるようにした場合について述べたが、これに代えて、この第２実施例では、ケース９の内部底面に所定長の段差部を設け、この段差部の下段にケーブルを通し、このケーブルに、例えばＬ字曲げされたシート状又はフィルム状の目隠し材を被せ、この目隠し材を、段差部の上段に粘着固定するようにしても良い。
【００４０】
以上、この発明の実施例を図面を参照して詳述してきたが、具体的な構成はこの実施例に限られるものではなく、この発明の要旨を逸脱しない範囲の設計の変更等があってもこの発明に含まれる。例えば、この発明は、携帯電話機に限らず、他の電子機器にも適用できることは勿論である。なお、この明細書において、ケーブルとは、単線の絶縁電線に限らず、複数線、捩れ線、束線等も含まれる概念である。また、粘着材は、両面粘着テープに限定されず、他の粘着剤でも良く、接着剤を用いても良い。
【００４１】
さらに、目隠し材の断面形状は、Ｌ字曲げに限定されものではなく、例えば、断面Ｃ字状でも良い。なお、溝部にケーブルを配設する場合には、側壁部を省略することができる。加えて、この発明が適用される部位は、電池パック収納部に限らないことは勿論である。開閉可能な部位であれば、この発明を適用できる。
【図面の簡単な説明】
【００４２】
【図１】この発明の第１実施例に係る折畳式携帯電話機の表側外観構成を示す斜視図である。
【図２】同携帯電話機の裏側外観構成を示す斜視図である。
【図３】同携帯電話機の裏側外観構成を一部分解して示す分解斜視図である。
【図４】この発明の第１実施例に係る同携帯電話機の下部筐体を構成するケースの構成を示す斜視図である。
【図５】同下部筐体（ケース）内のケーブル配設状態を示す平面図、また、図６は、この発明の第１実施例であるケーブル目隠し構造を分解して示す概略構成図である。
【図６】同携帯電話機に組み込まれるケーブル目隠し構造を示す分解斜視図である。
【図７】同携帯電話機の下部筐体の外観構成を示す平面図である。
【図８】図７のＡ−Ａ線に沿う同ケーブル目隠し構造を示す断面図である。
【図９】同ケーブル目隠し構造に用いられるシート状又はフィルム状の目隠し材の構成を示す斜視図である。
【図１０】同目隠し材の構成を示す図で、同図（ａ）は平面図、同図（ｂ）は側面図、同図（ｃ）は端面図である。
【符号の説明】
【００４３】
１        携帯電話機（電子機器）
３        下部筐体（筐体）
４        ケース（筐体の一部）
８        電池パック
９ａ        ケースの内側縁部（筐体の内側縁部、筐体の一の側壁）
１１        開閉蓋
１２      メイン回路基板
１３      電池パック収納部（バッテリ収納部）
１３ａ        電池パック収納部の底面（筐体の内部底面、バッテリ収納部の底面）
１４        サブ回路基板
１８        基板収納部
２０        ケーブル配設用溝部（溝部、段差部）
２１ケーブル
２２        目隠し材
２２ａ        目隠し材の平面部
２２ｂ        目隠し材の側壁部
２３    両面粘着テープ（接着又は粘着）
ケーブル目隠し構造
【図１】
2008199230.tif 000003
【図２】
2008199230.tif 000004
【図３】
2008199230.tif 000005
【図４】
2008199230.tif 000006
【図５】
2008199230.tif 000007
【図６】
2008199230.tif 000008
【図７】
2008199230.tif 000009
【図８】
2008199230.tif 000010
【図９】
2008199230.tif 000011
【図１０】
2008199230.tif 000012